(57)【要約】【課題】超音波振動ユニットの取り外し機能を備える超音波振動装置の提供。【解決手段】超音波振動ユニットの取り外し機能を備える超音波振動装置は、取り外し可能な上蓋３を備える筐体１内に設置し、加湿器を組成し、超音波振動装置４は回路板４０、キャリア板４１、超音波振動ユニット４２、ブリッジ構造を備え、超音波振動ユニット４２はキャリア板４１と上蓋３との間に取り外し可能状に設置し、上蓋３下方に設置するブリッジ構造は、超音波振動ユニット４２と回路板４０に電気的に連接し、超音波振動ユニット４２の交換可能な構造を、筐体１中の取り外し可能な上蓋３と組合せることで、超音波振動ユニット４２が損壊した場合、超音波振動ユニット４２を単独かつ容易に交換し、他の部品を続けて使用することができる。【選択図】図１
0003175717.tif 000002
【実用新案登録請求の範囲】
【請求項１】
超音波振動ユニットの取り外し機能を備える超音波振動装置は、取り外し可能な上蓋を備える筐体内に設置し、
前記上蓋中には、噴霧孔を形成し、
前記超音波振動装置は、回路板、キャリア板、超音波振動ユニット、ブリッジ構造を備え、
前記キャリア板は、受止め部を備え、
前記超音波振動ユニットは、前記キャリア板の受止め部上に取り外し可能状に設置し、しかも前記筐体の上蓋下方に位置し、前記超音波振動ユニットは、金属片、前記金属片上と結合する超音波振動子を備え、前記金属片は、多数の微細気孔を備える噴霧エリアを備え、
前記ブリッジ構造は、前記上蓋下方に設置し、前記超音波振動子と前記回路板とを電気的に連接することを特徴とする超音波振動ユニット取り外し機能を備える超音波振動装置。
【請求項２】
前記キャリア板は、前記回路板上方に設置し、前記キャリア板は、前記受止め部外周に、２個の連接端子を設置し、
前記２個の連接端子は、前記回路板に電気的に連接し、
前記超音波振動ユニットの超音波振動子中には、通孔を備え、前記通孔は、前記上蓋の噴霧孔と前記金属片の多数の微細気孔を備える噴霧エリアに対応し、
前記ブリッジ構造は、２個のブリッジ部品を備え、前記２個のブリッジ部品は、前記上蓋底面に組み合わせて設置し、しかも前記キャリア板の２個の連接端子から、前記超音波振動子と前記金属片をつなぎ、
これにより、前記超音波振動ユニットは、前記回路板に電気的に連接することを特徴とする請求項１に記載の超音波振動ユニット取り外し機能を備える超音波振動装置。
【請求項３】
前記超音波振動装置はさらに、弾性定位組合せ部品を備え、
前記弾性定位組合せ部品は、少なくとも１個の上弾性定位部品と少なくとも１個の下弾性定位部品を備え、
前記上弾性定位部品は、前記上蓋底面に設置し、前記超音波振動ユニット上表面に接続し、
前記下弾性定位部品は、前記キャリア板上に設置し、しかも前記超音波振動ユニット下表面に接続し、
前記超音波振動ユニットを、前記キャリア板の受止め部と前記筐体の上蓋との間に定位し、
これにより、前記超音波振動ユニットは、前記キャリア板と前記上蓋との間に制御され、振動することを特徴とする請求項２に記載の超音波振動ユニット取り外し機能を備える超音波振動装置。
【請求項４】
前記キャリア板中には、貫通孔を設置し、
前記貫通孔は、前記超音波振動ユニットの金属片の多数の微細気孔を備える噴霧エリア底面に対応し、
前記各ブリッジ部品両端には、下方へと湾曲する電気接触端をそれぞれ形成し、
これにより、前記電気接触端は、前記キャリア板の連接端と前記超音波振動ユニットに、それぞれ電気的に接触することを特徴とする請求項２に記載の超音波振動ユニット取り外し機能を備える超音波振動装置。
【請求項５】
前記回路板は、前記上蓋底部内に組み合わせて設置し、
前記キャリア板上に設置する超音波振動ユニットは、前記回路板下方に位置し、
前記キャリア板は、前記受止め部外周において、仲介端子を設置し、
前記受止め部中には、貫通孔を設置し、前記貫通孔中には、吸水ユニットが通過し、
前記超音波振動ユニットの超音波振動子は、前記金属片の頂点面の片側に設置し、前記金属片の多数の微細気孔を備える噴霧エリアは、前記超音波振動子側片に位置し、
前記ブリッジ構造は、２個のブリッジ部品を備え、前記２個のブリッジ部品は、前記回路板底面に組み合わせて設置し、しかも前記回路板と電気的に連接し、これにより前記キャリア板上の仲介端子と前記超音波振動ユニットに電気的に接触することを特徴とする請求項１に記載の超音波振動ユニット取り外し機能を備える超音波振動装置。
【請求項６】
前記各ブリッジ部品一端には、下方へと湾曲する電気接触端を形成し、
前記電気接触端は、前記キャリア板の仲介端子と前記超音波振動ユニットにそれぞれ電気的に接触することを特徴とする請求項５に記載の超音波振動ユニット取り外し機能を備える超音波振動装置。
【考案の詳細な説明】
【技術分野】
【０００１】
本考案は超音波振動ユニットの取り外し機能を備える超音波振動装置に関し、特に加湿器中の上蓋を取り外し可能な筐体内に設置し、超音波振動を発生し水を霧に変え、しかも超音波振動ユニットを単独で取り外して交換することができる超音波振動ユニットの取り外し機能を備える超音波振動装置に関する。
【背景技術】
【０００２】
現在、室内の加湿に用いられている加湿器の設計は、筐体中に回路板と超音波振動ユニットを設置する。超音波振動ユニットと回路板は電気的に連接する。筐体の、超音波振動ユニットを設置する水タンク中に、水を直接注入し、或いは給水ユニットにより吸水し、超音波振動ユニットへと水を導引する。次に、回路板を利用し、超音波振動ユニットに対して電圧を加える。これにより、超音波振動ユニットは、超音波振動を生じ、水を霧に変え、空気中に散布し、湿度増加の目的を達成する。
【０００３】
上記した加湿器では、超音波振動ユニットを利用し、超音波振動手段により水を霧に変えるが、超音波振動ユニットは、細微気孔の構造に属するため、一定時間の使用後には、水中の雑物により詰まってしまい、噴霧が不良となってしまう。しかし、超音波振動ユニットは、筐体内部に固定されるため、交換が容易でない構造である。よって、加湿器において、超音波振動ユニットが損壊すると、加湿器全体を廃棄し、新たな加湿器を購入しなければならず、資源の浪費となる。本考案は、従来の加湿器の上記欠点に鑑みてなされたものである。    
【考案の概要】
【考案が解決しようとする課題】
【０００４】
本考案が解決しようとする課題は、損壊した超音波振動ユニットだけを交換し、使用可能な構成部品を保留することができず、加湿器中の超音波振動ユニットが損壊すると、加湿器全体を廃棄しなければならず、資源の浪費となっている従来の加湿器の欠点を解決可能な超音波振動ユニットの取り外し機能を備える超音波振動装置を提供することである。
【課題を解決するための手段】
【０００５】
上記課題を解決するため、本考案は下記の超音波振動ユニットの取り外し機能を備える超音波振動装置を提供する。
超音波振動ユニットの取り外し機能を備える超音波振動装置は、取り外し可能な上蓋を備える筐体内に設置し、
該上蓋中には、噴霧孔を形成し、
該超音波振動装置は、回路板、キャリア板、超音波振動ユニット、ブリッジ構造を備え、  該キャリア板は、受止め部を備え、
該超音波振動ユニットは、該キャリア板の受止め部上に取り外し可能状に設置し、しかも該筐体の上蓋下方に位置し、該超音波振動ユニットは、金属片、該金属片上と結合する超音波振動子を備え、該金属片は、多数の微細気孔を備える噴霧エリアを備え、
該ブリッジ構造は、該上蓋下方に設置し、該超音波振動子と該回路板とを電気的に連接する。
【考案の効果】
【０００６】
本考案の超音波振動ユニットの取り外し機能を備える超音波振動装置は、超音波振動ユニットを取り外し可能な状態で上蓋とキャリア板との間に設置し、筐体の上蓋も取り外し可能な構造であり、上蓋下方には複数のブリッジ部品を設置し、複数のブリッジ部品を利用し、超音波振動ユニットと回路板を電気的に連接し、超音波振動子は超音波振動を発することができ、超音波振動ユニットに接触する金属片の多数の微細気孔を備える噴霧エリア底面の水を霧状にし、超音波振動ユニットが損壊した時には、筐体の上蓋を取り外し、単独、かつ容易に超音波振動ユニットを交換でき、加湿器を継続して使用することができる。
【図面の簡単な説明】
【０００７】
【図１】本考案超音波振動装置の第一実施例と筐体、吸水ユニット、ろ過ユニットを結合して組成した加湿器の立体分解模式図である。
【図２】図１に示す超音波振動装置の第一実施例と筐体、吸水ユニット、ろ過ユニットを組合せ後の立体模式図である。
【図３】図１に示す超音波振動装置の第一実施例と筐体、吸水ユニット、ろ過ユニットを組合せ後の組合せ断面模式図である。
【図４】図３に示す超音波振動装置の第一実施例と筐体、吸水ユニット、ろ過ユニットを組合せ後の組合せ断面の局部拡大図である。
【図５】本考案超音波振動装置の第二実施例と筐体、吸水ユニット、ろ過ユニットを結合して組成した加湿器の立体分解模式図である。
【図６】図５に示す超音波振動装置の第二実施例と筐体、吸水ユニット、ろ過ユニットを組合せ後の組合せ断面模式図である。
【図７】本考案超音波振動装置の第三実施例と筐体、吸水ユニット、ろ過ユニットを結合して組成した加湿器の立体分解模式図である。
【図８】図７に示す超音波振動装置の第三実施例と筐体、吸水ユニット、ろ過ユニットを結合して組成した加湿器の組合せ断面局部模式図である。
【図９】図１に示す超音波振動装置の第一実施例と筐体、吸水ユニット、ろ過ユニットを結合して組成した加湿器の使用状態参考図である。
【図１０】図９の局部拡大図である。
【図１１】本考案超音波振動装置の第四実施例と筐体、吸水ユニット、ろ過ユニットを結合して組成した加湿器の立体分解模式図である。
【図１２】図１１に示す超音波振動装置の第四実施例と筐体を結合して組成した加湿器の組合せ断面局部模式図である。
【図１３】図１１に示す超音波振動装置の第四実施例と筐体を結合して組成した加湿器の使用状態参考図である。
【考案を実施するための形態】
【０００８】
以下に図面を参照しながら本考案を実施するための最良の形態について詳細に説明する。
【実施例１】
【０００９】
図１、５、７、１１に示すように、本考案超音波振動ユニット取り外し機能を備える超音波振動装置４の数種の実施例を筐体１と結合し、或いはさらに吸水ユニット５、ろ過ユニット６と結合して、加湿器を組成する。
【００１０】
図１、３に示すように、筐体１は、座体２、上蓋３を備える。上蓋３は、座体２頂点部に、取り外し可能な状態で設置する。座体２と上蓋３間には、収容設置空間２１を備える。座体２底部には、穿孔２２を形成する。穿孔２２は、収容設置空間２１に通じる。上蓋３中には、噴霧孔３０を形成する。
【００１１】
筐体１中において、座体２中において開口が上を向く収容設置空間２１を形成する。座体２底部には、穿孔２２を形成する。穿孔２２は上向きに、収容設置空間２１に通じる。本実施例中では、座体２は、収容設置空間２１内部において、延伸管２３を形成する。座体２底部には、組接管２４を設置する。穿孔２２は、組接管２４中に位置し、しかも延伸管２３内部と通じる。組接管２４外周面には、外ネジヤマを形成する。座体２は、花形状とすることができ、これにより、装飾の機能を兼ね備えることができる。
【００１２】
筐体１中において、上蓋３頂点面には、噴霧孔３０周縁から上向き、かつ外へと、徐々に大きくなる錐面３１を形成する。上蓋３と座体２の間は、係合接続、或いは螺合により組み合わせることができる。図１に示すように、座体２頂点部内周面には、複数の係合接凹部２５を設置する。上蓋３周縁には、複数の係合接凸部３２を設置する。上蓋３を座体２頂点部に設置する際には、係合接凸部３２と係合接凹部２５の係合接続を利用し、対応させて固定する。これにより、上蓋３は、座体２頂点部から取り外し可能となる。
【００１３】
本考案の超音波振動装置４は、筐体１の収容設置空間２１内に設置し、しかも上蓋３下方に位置する。超音波振動装置４は、回路板４０、キャリア板４１、超音波振動ユニット４２、ブリッジ構造を備える。図１、３に示す超音波振動装置４の第一実施例では、ブリッジ構造は、２個のブリッジ部品４３を備える。ブリッジ部品４３は、金属材質の導電片、或いは金属接点などの実施形態である。
【００１４】
キャリア板４１は、受止め部４１３を備える。超音波振動ユニット４２は、キャリア板４１の受止め部４１３に取り外し可能状に設置し、しかも筐体１の上蓋３下方に位置する。これにより、超音波振動ユニット４２は、キャリア板４１と上蓋３との間において振動可能となる。超音波振動ユニット４２は、金属片４２１、金属片４２１上に設置する超音波振動子４２３を備える。金属片４２１上には、上蓋３噴霧孔３０に対応する噴霧エリア４２２を備える。噴霧エリア４２２には、多数の細微気孔が分布する。２個のブリッジ部品４３は、上蓋３下方に設置し、超音波振動ユニット４２と回路板４０とを電気的に連接する。
【００１５】
図１、３に示すように、回路板４０は、スイッチ４０１、電源連接部品４０２を備える。スイッチ４０１と電源連接部品４０２とは、座体２外へと伸び出す。座体２上には、２個の設置対応孔２６、２７を設置する。２個の設置対応孔２６、２７により、スイッチ４０１と電源連接部品４０２とは、座体２外表面に露出し、電源連接部品４０２により電源に接続する。回路板４０中には、通過孔４０３を設置する。通過孔４０３は、座体２内の延伸管２３を、その中に通過させる。
【００１６】
図１、３に示すように、キャリア板４１は、回路板４０上方に設置する。回路板４０とキャリア板４１は、ネジにより、座体２内に一緒に螺合される。キャリア板４１上には、受止め部４１３外周に間隔を開けて配列する２個の連接端子４１１を備える。キャリア板４１の受止め部４１３中には、貫通孔４１２を設置する。受止め部４１３頂点部には、収容設置凹部４１４を形成することができる。２個の連接端子４１１は、導線、或いは他の導電部品により、回路板４０上の対応する接点にそれぞれ電気的に連接する。座体２内部の延伸管２３は、回路板４０の通過孔４０３を通過後、キャリア板４１底面へと伸び、貫通孔４１２に連接する。
【００１７】
図１、３に示すように、超音波振動ユニット４２中の、超音波振動子４２３は、通孔４２４を備える環状部品とすることができる。超音波振動子４２３は、金属片４２１より小さく、しかも金属片４２１頂点面の中央に位置する。超音波振動子４２３の通孔４２４は、金属片４２１の、細微気孔が分布する噴霧エリア４２２に対応する。金属片４２１は、キャリア板４１の受止め部４１３の収容設置凹部４１４中に位置する。
【００１８】
ブリッジ構造は、上蓋３下方に設置する。これにより、ブリッジ構造は、上蓋３に従い活動可能となり、超音波振動装置ユニット４２と回路板４０に電気的に連接する。ブリッジ構造は、少なくとも１個のブリッジ部品４３を備える。ブリッジ部品４３は、金属材質の導電片、或いは金属接点などの実施形態とすることができる。
【００１９】
図１、３に示すように、ブリッジ構造は、金属導電片形式の２個のブリッジ部品４３を備える。２個のブリッジ部品４３は、上蓋３底面に、それぞれ固定し、しかもそれぞれキャリア板４１の２個の連接端子４１１より、超音波振動ユニット４２に接続する。これにより、超音波振動ユニット４２は、２個のブリッジ部品４３、キャリア板４１の２個の連接端子４１１を経て、回路板４０に電気的に連接する。こうして、回路板４０は、超音波振動子４２３に対して電圧を加え、超音波振動を生じることができる。これにより、水などの液体媒介を、多数の微小水滴状の霧に変えることができる。本実施例中では、２個のブリッジ部品４３は、金属材質の導電片で、ネジを利用して、上蓋３底面に固定する。各ブリッジ部品４３両端には、下方へと湾曲する電気接触端４３１をそれぞれ形成する。一方のブリッジ部品４３は、２個の電気接触端４３１により、キャリア板４１の一方の連接端子４１１と超音波振動子４２３に、それぞれ電気的に接触し、もう一方のブリッジ部品４３は、２個の電気接触端４３１により、キャリア板４１のもう一方の連接端子４１１と金属片４２１に、それぞれ電気的に接触する。
【００２０】
図１、３、或いは図５、６に示すように、超音波振動装置４はさらに、弾性定位組合せ部品４４を備える。弾性定位組合せ部品４４は、少なくとも１個の上弾性定位部品４４１、４４２と少なくとも１個の下弾性定位部品４４３を備える。上弾性定位部品４４１、４４２は、上蓋３底面に設置し、超音波振動ユニット４２上表面に接続する。下弾性定位部品４４３は、キャリア板４１上に設置し、超音波振動ユニット４２下表面に接続する。こうして、超音波振動ユニット４２を、キャリア板４１の受止め部４１３と筐体１の上蓋３との間に定位する。これにより、超音波振動ユニット４２は、キャリア板４１と上蓋３との間に制御され、振動する。
【００２１】
図１、３、４に示す第一実施例では、弾性定位組合せ部品４４は、複数のブロック状の上弾性定位部品４４１、及び環状の下弾性定位部品４４３を備える。キャリア板４１は、受止め部４１３の収容設置凹部４１４中において、環状槽４１５を形成する。これにより、環状の下弾性定位部品４４３を、環状槽４１５中に設置し、環状の下弾性定位部品４４３頂点面により、超音波振動ユニット４２の金属片４２１下表面を支える。上蓋３底面は、噴霧孔３０外周において、複数の定位凹部３３を設置する。ブロック状の上弾性定位部品４４１は、定位凹部３３中にそれぞれ設置する。これにより、複数のブロック状の上弾性定位部品４４１は、超音波振動ユニット４２の金属片４２１上表面に接続する。こうして、超音波振動ユニット４２は、キャリア板４１の受止め部４１３の収容設置凹部４１４底面と上蓋３底面に接触しない。
【００２２】
図５、６に示す第二実施例では、弾性定位組合せ部品４４は、環状上弾性定位部品４２２、環状下弾性定位部品４４３を備える。キャリア板４１は、その受止め部４１３の収容設置凹部４１４中に、環状槽４１５を形成する。これにより、環状下弾性定位部品４４３は、環状槽４１５中に設置され、環状下弾性定位部品４４３頂点面により、超音波振動ユニット４２の金属片４２１下表面を支える。上蓋３底面は、噴霧孔３０外周に、環状定位槽３４を設置する。環状上弾性定位部品４４２は、環状定位槽３４中にそれぞれ設置する。これにより、環状上弾性定位部品４４２は、超音波振動ユニット４２の超音波振動子４２３上表面に接続する。こうして、超音波振動ユニット４２は、キャリア板４１受止め部４１３の収容設置凹部４１４底面と上蓋３底面に接触しない。
【００２３】
図１、３、或いは図５、６、或いは図７、８に示すように、加湿器に使用する吸水ユニット５は、水などの液体媒介を吸収する機能を備えるコットン吸水棒、或いは水などの液体媒介を吸収する機能を備える他の物件である。吸水ユニット５は、一端が、筐体１中の座体２の組接管２４、延伸管２３、キャリア板４１の貫通孔４１２を貫通し、超音波振動ユニット４２の金属片４２１の、多数の微細気孔を備える噴霧エリア４２２底面に接触する。これにより、水などの液体媒介を吸収し、上方へと、超音波振動ユニット４２の金属片４２１の、多数の微細気孔を備える噴霧エリア４２２位置へと導引する。
【００２４】
図１、３、或いは図５、６、或いは図７、８に示すように、加湿器に使用するろ過ユニット６は、多数の小さなサイズのろ過孔６０を備える部品である。ろ過ユニット６は、吸水ユニット５外側に嵌めて設置し、しかも上端は、取り外し可能状に、座体２底部に組み合わせて接続する。こうして、水などの液体媒介中の雑物が、吸水ユニット５表面に付着しないよう隔離する。本実施例中では、ろ過ユニット６は、棒状吸水ユニット５に対応した管状体である。管状のろ過ユニット６頂点端内壁には、ネジヤマを設置する。管状ろ過ユニット６内側底部には、弾性部品６２を設置する。弾性部品６２は、バネである。管状ろ過ユニット６は、吸水ユニット５外側に嵌めて設置し、しかも座体２底部の組接管２４上に螺接して固定する。弾性部品６２は、吸水ユニット５に連接し、吸水ユニット５に対して、上向きの弾力を提供する。これにより、吸水ユニット５頂点端は、超音波振動ユニット４２の金属片４２１の多数の微細気孔を備える噴霧エリア４２２底面への接触状態を維持する。
【００２５】
図７、８は、本考案超音波振動装置の第三実施例と筐体、吸水ユニット、ろ過ユニットを結合して組成した加湿器を示す。筐体１は、座体２、上蓋３を備える。上蓋３は、頂点部に取り外し可能状に設置し、座体２と上蓋３との間には、収容設置空間２１を備える。座体２は、実質的には、図１、５に示すものと相同であるため、相同部分について、ここでは詳述を行わない。上蓋３頂点面には、噴霧孔３０周縁から上向き、かつ外側へと徐々に大きくなる錐面３１を形成する。噴霧孔３０周縁は、下方へと中管部３７を延伸する。上蓋３と座体２との間は、係合、或いはネジにより螺合して組み合わされる。図７に示す座体２頂点部内周面には、複数の係合接凹部２５を設置する。上蓋３周辺には、複数の係合接凸部３２を設置する。上蓋３を座体２頂点部に組み合わせて設置する時には、係合接凹部２５と係合接凸部３２の係合、対応を利用して固定する。これにより、上蓋３は、座体２頂点部から取り外し可能となる。上蓋３周辺の壁面上には別に、２個の設置対応孔３５、３６を設置する。
【００２６】
本考案の超音波振動装置４は同様に、回路板４０、キャリア板４１、超音波振動ユニット４２、ブリッジ構造を備える。本実施例に示すブリッジ構造は、２個のブリッジ部品４３を備える。回路板４０は、上蓋３の底部内に組み合わせて設置する。回路板４０は、スイッチ４０１、電源連接部品４０２を備える。スイッチ４０１と電源連接部品４０２とは、上蓋３周囲壁の設置対応孔３５、３６を経て、外に露出する。回路板４０中には、通過孔４０３を設置し、上蓋３の中管部３７は、通過孔４０３を通過する。
【００２７】
キャリア板４１は、座体２内に設置する。キャリア板４１上の受止め部４１３外周には、仲介端子４１６を設置する。受止め部４１３中には、貫通孔４１２を設置する。これにより、座体２内部の延伸管２３は、キャリア板４１底面へと伸び、貫通孔４１２に連接する。これにより、吸水ユニット５を、貫通孔４１２中に挿入することができる。受止め部４１３頂点部にはさらに、収容設置凹部４１４を形成することができる。
【００２８】
超音波振動ユニット４２は、キャリア板４１の受止め部４１３に取り外し可能状に設置し、受止め部４１３の収容設置凹部４２４中に入れることができ、筐体１の上蓋３と回路板４０下方に位置し、しかもキャリア板４１上の仲介端子４１６に電気的に接触する。しかも、キャリア板４１上の仲介端子４１６に電気的に接触する。超音波振動ユニット４２は、金属片４２１、金属片４２１頂点面片側に設置する方形の超音波振動子４２３を備える。金属片４２１上には、上蓋３噴霧孔３０に対応する噴霧エリア４２２を備える。噴霧エリア４２２には、多数の細微気孔が分布する。上蓋３の中管部３７は、上から下へと、金属片４２１の多数の微細気孔を備える噴霧エリア４２２へと伸びる。
【００２９】
２個のブリッジ部品４３は、回路板４０底面に設置し、しかも回路板４０の対応する接点と電気的に連接する。２個のブリッジ部品４３の内の一方のブリッジ部品４３は、超音波振動子４２３に電気的に接触し、もう一方のブリッジ部品４３は、仲介端子４１６に電気的に接触する。これにより、超音波振動ユニット４２と回路板４０とは、電気的に連接する。本実施例中では、２個のブリッジ部品４３は、金属材質の導電片で、ネジを利用し、回路板４０底面に固定する。各ブリッジ部品４３一端には、下方へと湾曲した電気接触端４３１をそれぞれ形成する。これにより、電気接触端４３１は、キャリア板４１の仲介端子４１６と超音波振動子４２３にそれぞれ電気的に接触する。
【００３０】
本考案の超音波振動装置を、加湿器に応用して使用する際には、図１に示す加湿器を例とし、図９、１０に示すように、外側にろ過ユニット６を嵌めて設置する吸水ユニット５を水中へと入れる。先ず、ろ過ユニット６により、水中の雑物をろ過し、吸水ユニット５は吸水し、しかも水を、上方へと、超音波振動ユニット４２の金属片４２１の多数の微細気孔を備える噴霧エリア４２２底面まで導引する。次に、電源を連接する回路板４０により、超音波振動子４２３に対して電圧を加える。これにより、超音波振動子４２３は振動を生じ、金属片４２１の多数の微細気孔を備える噴霧エリア４２２位置まで導引された水を霧に変え、上蓋３の噴霧孔３０を通過させ、外界の空気中へと散布して、加湿の目的を達成する。上蓋３上に付着し集まった水滴は、錐面３１に沿って滑り落ち、上蓋３の噴霧孔３０と超音波振動子４２３の通孔４２４を通過し、金属片４２１の多数の微細気孔が分布する噴霧エリア４２２へと流れ、超音波振動作用により、転化して霧となる。
【００３１】
超音波振動ユニット４２が、一定時間の使用後に故障した場合には、使用者は、超音波振動ユニット４２を交換することができる。その際には、筐体１の上蓋３を取り外し、超音波振動子４２３とキャリア板４１の連接端子４１１との間をつなぐ２個のブリッジ部品４３を、上蓋３と一緒に取り除く。これにより、使用者は、損壊した超音波振動ユニット４２を、キャリア板４１から取り外し、別の超音波振動ユニット４２に交換することができる。交換後は、上蓋３を座体２中に再び組合せれば、再度使用することができる。
【００３２】
図１１、１２に示すように、本考案超音波振動装置の第四実施例と筐体１を結合して組成する、吸水ユニットを持たない加湿器において、筐体１は同様に、座体２a、上蓋３を備える。上蓋３は、取り外し可能な状態で座体２a頂点部に設置する。図に示すように、座体２a中には、開口が上向きの収容設置空間２１を形成する。座体２aは、収容設置空間２１内部に、延伸管２３を形成する。延伸管２３は、座体２a底部に穿孔２２を形成する。上蓋３は、実質的には、図７に示す上蓋と相同で、しかも上蓋３と座体２aとの間は、係合接凸部３２と係合接凹部２５を利用し、係合して対応し固定する。これにより、上蓋３は、座体２頂点部から取り外し可能となる。
【００３３】
本考案の超音波振動装置４の組成構造は、図７に示す超音波振動装置４の組成構造と相同であるため、ここでは記述しない。両者の差異は、筐体１は、その座体２a中に、図７に示す吸水ユニットとろ過ユニットを設置しない点である。吸水ユニットの頂点端が、超音波振動ユニット４２の金属片４２１と接触しない組合せ形態である。
【００３４】
図１３に示すように、図１１、１２に示す超音波振動装置の第四実施例と筐体１を結合して組成する、吸水ユニットを持たない加湿器において、使用時には、筐体１を直接水中に入れることで、座体２a底部は、水中に沈む。これにより、水は座体２a底部の穿孔２２を通過し、延伸管２３に沿って、超音波振動ユニット４２の金属片４２１の多数の微細気孔を備える噴霧エリア４２２底面に至る。次に、電源を連接する回路板４０により、超音波振動子４２３に対して電圧を加える。これにより、超音波振動子４２３は振動を生じ、金属片４２１の多数の微細気孔を備える噴霧エリア４２２まで導引した水を、霧に転化し、上蓋３の噴霧孔３０を通過させ、外界の空気中に散布し、加湿の目的を達成する。
【００３５】
超音波振動ユニット４２が故障した場合、使用者は、筐体１の上蓋３を取り外し、超音波振動子４２３とキャリア板４１の連接端子との間をつなぐ２個のブリッジ部品４３を、上蓋３に従い取り外す。次に、超音波振動ユニット４２を交換し、上蓋３を座体２中に戻して組合せれば、再度使用することができる。
【００３６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３８】
１  筐体
２、２a  座体
２１  収容設置空間
２２  穿孔
２３  延伸管
２４  組接管
２５  係合接凹部
２６  設置対応孔
２７  設置対応孔
３  上蓋
３０  噴霧孔
３１  錐面
３２  係合接凸部
３３  定位凹部
３４  定位槽
３５  設置対応孔
３６  設置対応孔
３７  中管部
４  超音波振動装置
４０  回路板
４０１  スイッチ
４０２  電源連接部品
４０３  通過孔
４１  キャリア板
４１１  連接端子
４１２  貫通孔
４１３  受止め部
４１４  収容設置凹部
４１５  環状槽
４１６  仲介端子
４２  超音波振動ユニット
４２１  金属片
４２２  噴霧エリア
４２３  超音波振動子
４２４  通孔
４３  ブリッジ部品
４３１  電気接触端
４４  弾性定位組合せ部品
４４１、４４２  上弾性定位部品
４４３  下弾性定位部品
５  吸水ユニット
６  ろ過ユニット
６０  ろ過孔
６２  弾性部品
【図１】
0003175717.tif 000003
【図２】
0003175717.tif 000004
【図３】
0003175717.tif 000005
【図４】
0003175717.tif 000006
【図５】
0003175717.tif 000007
【図６】
0003175717.tif 000008
【図７】
0003175717.tif 000009
【図８】
0003175717.tif 000010
【図９】
0003175717.tif 000011
【図１０】
0003175717.tif 000012
【図１１】
0003175717.tif 000013
【図１２】
0003175717.tif 000014
【図１３】
0003175717.tif 000015